(57)【要約】【課題】出版物に掲載予定の広告商品の広告記事データの情報価値を有効に活用可能な広告提供装置、広告提供方法、およびプログラムを提供する。【解決手段】出版物に掲載予定の広告商品の広告記事データを取得する広告記事データ取得部４６と、取得された広告記事データから広告商品の広告情報を作成する広告情報作成部４１と、広告商品を販売している電子商取引システムから広告商品の商品情報を取得する商品情報取得部４６と、取得された広告情報および商品情報を関連付けて、広告商品のユニット情報を作成するユニット情報作成部４３と、広告商品を販売している電子商取引システムに作成されたユニット情報を提供するユニット情報提供部４６と、提供されたユニット情報を利用して電子商取引システムを通じて販売された広告商品の販売ログを取得する販売ログ取得部４６と、を備える。【選択図】図３
2010117766.tif 000002
【特許請求の範囲】
【請求項１】
出版物に掲載予定の広告商品の広告記事データを取得する広告記事データ取得部と、
前記取得された広告記事データから前記広告商品の広告情報を作成する広告情報作成部と、
前記広告商品を販売している電子商取引システムから前記広告商品の商品情報を取得する商品情報取得部と、
前記取得された広告情報および商品情報を関連付けて、前記広告商品のユニット情報を作成するユニット情報作成部と、
前記広告商品を販売している前記電子商取引システムに前記作成されたユニット情報を提供するユニット情報提供部と、
前記提供されたユニット情報を利用して前記電子商取引システムを通じて販売された前記広告商品の販売ログを取得する販売ログ取得部と、
を備える広告提供装置。
【請求項２】
前記ユニット情報提供部は、前記出版物の販売が開始される前に、前記広告商品を販売している前記電子商取引システムに前記作成されたユニット情報を提供する、請求項１に記載の広告提供装置。
【請求項３】
前記ユニット情報作成部は、前記ユニット情報を構成する前記広告情報または前記商品情報に含まれるデータを用いて、他の広告商品のユニット情報に関連付けて前記広告商品のユニット情報を作成する、請求項１に記載の広告提供装置。
【請求項４】
前記広告情報作成部は、前記広告商品の広告記事データおよび前記広告商品以外の商品の広告記事データから、前記広告商品の広告情報を作成する、請求項１に記載の広告提供装置。
【請求項５】
前記商品情報取得部は、前記電子商取引システムの公開データベースから前記広告商品の商品情報を取得する、請求項１に記載の広告提供装置。
【請求項６】
前記ユニット情報提供部は、前記作成されたユニット情報を広告システムの公開データベース上に公開し、前記広告商品を販売している前記電子商取引システムに前記公開されたユニット情報を取得させることで、前記電子商取引システムに前記作成されたユニット情報を提供する、請求項１に記載の広告提供装置。
【請求項７】
出版物に掲載予定の広告商品の広告記事データを取得するステップと、
前記取得された広告記事データから前記広告商品の広告情報を作成するステップと、
前記広告商品を販売している電子商取引システムから前記広告商品の商品情報を取得するステップと、
前記取得された広告情報および商品情報を関連付けて、前記広告商品のユニット情報を作成するステップと、
前記広告商品を販売している前記電子商取引システムに前記作成されたユニット情報を提供するステップと、
前記提供されたユニット情報を利用して前記電子商取引システムを通じて販売された前記広告商品の販売ログを取得するステップと、
を含む広告提供方法。
【請求項８】
出版物に掲載予定の広告商品の広告記事データを取得するステップと、
前記取得された広告記事データから前記広告商品の広告情報を作成するステップと、
前記広告商品を販売している電子商取引システムから前記広告商品の商品情報を取得するステップと、
前記取得された広告情報および商品情報を関連付けて、前記広告商品のユニット情報を作成するステップと、
前記広告商品を販売している前記電子商取引システムに前記作成されたユニット情報を提供するステップと、
前記提供されたユニット情報を利用して前記電子商取引システムを通じて販売された前記広告商品の販売ログを取得するステップと、
を含む広告提供方法をコンピュータに実行させるためのプログラム。
【発明の詳細な説明】
【技術分野】
【０００１】
本発明は、広告提供装置、広告提供方法、およびプログラムに関する。
【背景技術】
【０００２】
雑誌、書籍等を出版する出版事業者は、出版物の販売開始の数日前に広告商品の広告記事のデータを作成し、広告記事を掲載した出版物を販売することで広告収益を得ている。また、出版事業者は、出版物の販売開始後に自らの電子商取引用サイト（以下、出版サイトとも称する。）を通じて広告商品を販売することで広告外収益を得ている。
【発明の開示】
【発明が解決しようとする課題】
【０００３】
一方、電子商取引事業者は、出版物の販売開始後に出版物に掲載された商品として広告商品を紹介することで、出版物に掲載された広告記事による広告宣伝効果を利用しながら、自らの電子商取引用サイトを通じて広告商品を販売している。なお、以下では、電子商取引事業者をＥＣ（Electronic Commerce）事業者とも称し、ＥＣ事業者の電子商取引用サイトをＥＣサイトとも称する。このため、出版サイトではなく、ＥＣサイトを通じて広告商品を購入するユーザも多いことが知られている。この場合、出版事業者は、自ら作成した広告記事をきっかけとして広告商品が販売されたにもかかわらず、広告外収益を確保することができない。
【０００４】
また、広告記事のデータは、通常、出版物の販売開始の数日前に作成されているが、出版物の販売開始までは特に利用されていない。このため、広告記事データの作成後から出版物の販売開始までは、広告記事データの情報価値が有効に活用されておらず、広告記事データが有する速報性という情報価値を用いて、広告外収益を確保するための機会が喪失されているといえる。ここで、広告記事データが有する速報性とは、広告記事データが有するタイムリー性、トレンド性等を意味している。特に、ライフサイクルが短い商品では、広告記事データの作成後から出版物の販売開始までに、広告記事データが有する速報性という情報価値を有効に活用しない場合には、広告外収益を確保するための大きな機会が喪失されているといえる。
【０００５】
本発明は上記問題点に鑑みてなされたものであり、その目的は、出版物に掲載予定の広告商品の広告記事データの情報価値を有効に活用可能な、新規かつ改良された広告提供装置、広告提供方法、およびプログラムを提供することにある。
【課題を解決するための手段】
【０００６】
上記課題を解決するために、本発明の第１の観点によれば、出版物に掲載予定の広告商品の広告記事データを取得する広告記事データ取得部と、取得された広告記事データから広告商品の広告情報を作成する広告情報作成部と、広告商品を販売している電子商取引システムから広告商品の商品情報を取得する商品情報取得部と、取得された広告情報および商品情報を関連付けて、広告商品のユニット情報を作成するユニット情報作成部と、広告商品を販売している電子商取引システムに作成されたユニット情報を提供するユニット情報提供部と、提供されたユニット情報を利用して電子商取引システムを通じて販売された広告商品の販売ログを取得する販売ログ取得部と、を備える広告提供装置が提供される。
【０００７】
かかる構成によれば、出版物に掲載予定の広告商品の広告記事データから作成された広告情報、および広告商品を販売している電子商取引システムから取得された商品情報を関連付けて、広告商品のユニット情報が作成される。そして、広告商品を販売している電子商取引システムに広告商品のユニット情報が提供され、ユニット情報を利用して電子商取引システムを通じて販売された広告商品の販売ログが取得される。
【０００８】
これにより、出版事業者は、ユニット情報を利用して広告商品が販売された電子商取引システムから、広告商品の販売ログに応じて販売マージンを取得することで、広告外収益を確保することができる。また、出版事業者は、出版物に掲載予定の広告商品の広告記事データを含むユニット情報を用いて電子商取引システムに広告商品を販売させることができる。よって、出版事業者は、広告記事データの作成後から出版物の販売開始までに、広告記事データが有する速報性という情報価値を用いて、広告外収益を確保するための機会を利用することができる。
【０００９】
ここで、上記ユニット情報提供部は、出版物の販売が開始される前に、広告商品を販売している電子商取引システムに作成されたユニット情報を提供することが好ましい。
【００１０】
また、ユニット情報作成部は、ユニット情報を構成する広告情報または商品情報に含まれるデータを用いて、他の広告商品のユニット情報に関連付けて広告商品のユニット情報を作成してもよい。
【００１１】
また、上記広告情報作成部は、広告商品の広告記事データおよび広告商品以外の商品の広告記事データから、広告商品の広告情報を作成してもよい。
【００１２】
また、上記商品情報取得部は、電子商取引システムの公開データベースから広告商品の商品情報を取得してもよい。
【００１３】
また、上記ユニット情報提供部は、作成されたユニット情報を広告システムの公開データベース上に公開し、広告商品を販売している電子商取引システムに公開されたユニット情報を取得させることで、電子商取引システムに作成されたユニット情報を提供してもよい。
【００１４】
また、本発明の第２の観点によれば、出版物に掲載予定の広告商品の広告記事データを取得するステップと、取得された広告記事データから広告商品の広告情報を作成するステップと、広告商品を販売している電子商取引システムから広告商品の商品情報を取得するステップと、取得された広告情報および商品情報を関連付けて、広告商品のユニット情報を作成するステップと、広告商品を販売している電子商取引システムに作成されたユニット情報を提供するステップと、提供されたユニット情報を利用して電子商取引システムを通じて販売された広告商品の販売ログを取得するステップと、を含む広告提供方法が提供される。
【００１５】
また、本発明の第３の観点によれば、第２の観点による広告提供方法をコンピュータに実行させるためのプログラムが提供される。
【発明の効果】
【００１６】
本発明によれば、出版物に掲載予定の広告商品の広告記事データの情報価値を有効に活用可能な、広告提供装置、広告提供方法、およびプログラムを提供することができる。
【発明を実施するための最良の形態】
【００１７】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１８】
［１．広告提供システム１の概要］
まず、図１を参照しながら、本発明の実施形態に係る広告提供システム１の概要について説明する。図１に示すように、広告提供システム１は、出版事業者２、電子商取引事業者３（以下、ＥＣ事業者３とも称する。）、および広告事業者４により運営される。
【００１９】
出版事業者２は、広告商品の広告記事のデータを作成し、広告記事を掲載した出版物を販売している。出版事業者２は、自らの電子商取引サイト（以下、出版サイトとも称する。）を提供するためのＥＣシステム（以下、出版サーバとも称する。）を運用している。そして、出版事業者２は、広告記事データから自ら作成する広告情報を掲載した出版サイトを通じて広告商品を販売している。
【００２０】
一方、ＥＣ事業者３も、自らの電子商取引サイト（以下、ＥＣサイトとも称する。）を提供するためのＥＣシステム（以下、ＥＣサーバとも称する。）を運用している。そして、ＥＣ事業者３は、広告商品の商品情報とともに、出版物に掲載された商品として広告商品を紹介する紹介情報をＥＣサイトに掲載することで、ＥＣサイトを通じて広告商品を販売している。
【００２１】
従来、出版事業者２は、広告記事データから自ら作成する広告情報を用いて広告商品を販売し、ＥＣ事業者３は、自ら管理する商品情報を用いて広告商品を販売していた。このため、ユーザは、出版物に掲載された広告記事または出版サイトに掲載された広告情報を参照して、出版サイトを通じて広告商品を購入していた。また、ユーザは、出版物に掲載された広告記事を参照し、出版サイトに掲載された広告情報を参照し、またはＥＣサイトに掲載された商品情報および紹介情報を参照して、ＥＣサイトを通じて広告商品を購入していた。
【００２２】
一方、本実施形態に係る広告提供システム１は、広告商品の広告情報および商品情報を含むユニット情報をＥＣサイトに提供するための広告システム（以下、広告サーバとも称する。）を運用する広告事業者４を含んで運営される。広告サーバは、出版物に掲載予定の広告記事データを出版サーバから取得して広告情報を作成し、広告商品を販売している各ＥＣサイトから広告商品の商品情報を取得する。
【００２３】
そして、広告サーバは、取得された広告商品の広告情報および商品情報を関連付けて、広告商品のユニット情報を作成してＥＣサーバに提供し、ＥＣサーバは、ユニット情報をＥＣサイトに掲載する。ここで、ユニット情報は、広告情報を掲載した出版物の販売開始前にＥＣサイトに掲載されていることが好ましい。なお、広告サーバは、ユニット情報を出版サーバ、ブログサーバ等にも提供し、出版サーバおよびブログサーバ等は、ユニット情報を出版サイトおよびブログサイト等に掲載してもよい。
【００２４】
ユニット情報を利用してＥＣサイトから広告商品が販売されると、広告サーバは、ＥＣサーバから広告商品の販売ログを取得する。ＥＣ事業者３は、販売マージンを販売ログに応じて広告事業者４に提供し、広告事業者４は、販売マージンの一部を中間マージンとして取得するとともに、販売マージンの残りを出版事業者２に広告外収益として提供（還元）する。
【００２５】
本実施形態に係る広告提供システム１によれば、ＥＣ事業者３（および出版事業者２）は、広告事業者４により作成されるユニット情報を用いて、広告商品を販売することができる。このため、ユーザは、出版物に掲載される広告記事、および出版サイトおよびＥＣサイトに掲載されている広告情報および商品情報以外にも、出版サイト、ＥＣサイト、ブログサイト等に掲載されているユニット情報を参照して、広告商品を購入することができる。
【００２６】
また、出版事業者２は、広告商品の販売ログに応じて、ユニット情報を利用して販売された広告商品の販売マージンの一部を広告外収益として取得することができる。また、出版事業者２は、出版物に掲載予定の広告記事データを含むユニット情報を用いてＥＣ事業者３に広告商品を販売させることで、広告記事データの作成後から出版物の販売開始までに、広告情報が有する速報性という情報価値を有効に活用することができる。
【００２７】
［２．第１の実施形態に係る広告提供システム１０］
［２−１．広告提供システム１０の構成］
次に、図２を参照しながら、本発明の第１の実施形態に係る広告提供システム１０の構成について説明する。図２に示すように、本実施形態に係る広告提供システム１０は、出版サーバ２０、ＥＣサーバ３０、および広告サーバ４０を含んで構成される。出版サーバ２０、ＥＣサーバ３０、および広告サーバ４０は、いずれもサーバ装置を含む情報処理システムからなる。なお、広告提供システム１０は、複数の出版サーバ２０、および／または複数のＥＣサーバ３０を含んで構成されてもよい。
【００２８】
出版サーバ２０は、出版物に掲載予定の広告記事データを管理する広告記事データベース（ＤＢ）２１を有している。ここで、広告記事データは、出版物に掲載予定の広告商品の商品コード・名称・画像、製造・販売元、希望小売価格、付加情報（広告モデルの名称・画像、紹介記事）等の情報を含んでいる。また、出版サーバ２０は、広告記事ＤＢ２１により管理されている広告記事データを広告サーバ４０に送信する通信インタフェース（ＩＦ）２２を有している。
【００２９】
ＥＣサーバ３０は、ＥＣサイトに掲載される商品の商品情報を管理する商品情報データベース（ＤＢ）３１を有している。ここで、商品情報は、ＥＣサイトに掲載される商品の商品コード・名称・カテゴリ・画像、製造・販売元、販売価格等の情報を含んでいる。なお、本実施形態に係るＥＣサーバ３０は、広告事業者４等に対して商品情報ＤＢ３１を公開しており、広告事業者４は、広告サーバ４０を用いて商品情報ＤＢ３１にアクセスして、商品情報を取得することができる。ＥＣサーバ３０は、ＥＣサイトを通じて電子商取引の手続きを行うためのＥＣ処理部３２を有している。
【００３０】
ＥＣサーバ３０は、商品情報ＤＢ３１により管理されている商品情報を広告サーバ４０に送信し、広告サーバ４０により作成されるユニット情報を広告サーバ４０から受信する通信インタフェース（ＩＦ）３３を有している。また、通信ＩＦ３３は、ＥＣサイトを通じて販売された広告商品の販売ログを広告サーバ４０に送信する。
【００３１】
なお、図２に示されていないが、ＥＣサーバ３０は、制御部も有している。制御部は、例えばＲＯＭ等に格納されている制御処理用プログラムをＲＡＭ上の作業領域に展開して実行することで、商品情報ＤＢ３１、ＥＣ処理部３２、および通信ＩＦ３３を制御し、ＥＣサーバ３０の動作に必要な各種処理を行う。
【００３２】
広告サーバ４０は、広告記事データから広告情報を作成する広告情報作成部４１、広告商品の商品情報を検索する検索エンジン４２、広告商品の広告情報および商品情報から広告商品のユニット情報を作成するユニット情報作成部４３を有している。また、広告サーバ４０は、広告情報、商品情報、ユニット情報等を格納する汎用データベース（ＤＢ）４４、および広告商品の販売ログを管理する販売ログ管理部４５を有している。ここで、広告商品のユニット情報は、詳細は後述するが、広告商品の広告情報および商品情報を関連付けて作成される。広告サーバ４０は、出版サーバ２０から広告記事データを受信し、広告サーバ４０から商品情報を受信し、広告商品のユニット情報をＥＣサーバ３０に送信し、広告商品の販売ログをＥＣサーバ３０から受信する通信インタフェース（ＩＦ）４６を含んで構成される。
【００３３】
なお、図２に示されていないが、広告サーバ４０は、制御部も有している。制御部は、例えばＲＯＭ等に格納されている制御処理用プログラムをＲＡＭ上の作業領域に展開して実行する。これにより、制御部は、広告情報作成部４１、検索エンジン４２、ユニット情報作成部４３、汎用ＤＢ４４、販売ログ管理部４５、および通信ＩＦ４６を制御し、ＥＣサーバ３０の動作に必要な各種処理を行う。ここで、通信ＩＦ４６は、制御部と協働して、広告記事データ取得部、商品情報取得部、ユニット情報提供部、販売ログ取得部として機能する。
【００３４】
［２−２．広告提供方法］
次に、図３〜図１３を参照しながら、本発明の第１の実施形態に係る広告提供方法の流れについて説明する。図３は、広告提供方法の流れを示す模式図であり、図４〜図１０は、広告提供方法を説明するための図であり、図１１〜図１３は、ユニット情報の掲載方法の変形例を示す図である。
【００３５】
出版事業者２は、出版物に掲載予定の広告記事をＤＴＰ（Desktop Publishing）データ等として作成し、出版サーバ２０は、広告記事データを広告記事ＤＢ２１により管理している。出版サーバ２０は、広告記事データを広告サーバ４０に提供する（ステップＳ１０）。
【００３６】
広告記事データには、出版物に掲載予定の広告商品の商品コード・名称・画像、製造・販売元、希望小売価格、付加情報等が含まれている。ここで、付加情報とは、広告記事の作成に際して広告商品の広告宣伝効果を高めるために付加される情報である。付加情報は、例えば、広告モデルの名称・画像（例えば、広告商品を着用しているモデルの画像）、モデルによる商品の紹介記事、広告記事を掲載予定の出版物の名称・発行号数、広告記事を掲載予定の特集タイトル等の情報である。また、付加情報には、広告商品との間で関連性を有する他の商品を示す関連商品の情報が含まれてもよい。関連商品の情報とは、例えば、広告商品とともにコーディネイトの対象となる商品の商品コード・名称・希望小売価格等である。
【００３７】
広告記事データは、ＤＴＰデータ等として作成され、広告記事データ毎に属性情報（データコード、出版物コード、作成日時等）を付与されて、広告記事ＤＢ２１により管理されている。
【００３８】
図４には、ファッション雑誌に掲載予定の広告記事の一例が示されている。広告記事Ｍ１には、ファッション雑誌「ファッションガールズ１０月号」に掲載予定の「○○ちゃんおすすめ！今秋のワンピース特集」に関する記事である。広告記事Ｍ１には、特集記事の内容が含まれ、広告商品Ａ「ニットワンピース」、広告商品Ｂ「ベロアワンピース」の情報が含まれている。各広告商品の情報には、商品コード・名称・画像、希望小売価格とともに、広告モデルの名称・画像、商品の紹介記事等の付加情報が含まれる。
【００３９】
広告サーバ４０は、広告記事データを出版サーバ２０から取得すると、広告記事データから各広告商品の情報を抽出し、各広告商品の広告情報を作成する（Ｓ１２）。ここで、広告商品の広告情報は、広告商品の商品コード・名称・画像、製造・販売元、希望小売価格、付加情報等の各データが広告記事データから抽出され、データ種別を特定するためのタグが各データに付与されることで作成される。また、広告情報は、例えば、商品コード・名称等を検索キーとして作成される。広告サーバ４０は、作成された各広告商品の広告情報を汎用ＤＢ４４に格納する。なお、出版サーバ２０が広告記事データから出版事業者２により作成された広告情報を管理している場合には、広告サーバ４０は、広告記事データの代わりに広告情報を取得してもよい。
【００４０】
各広告商品の広告情報を作成すると、広告サーバ４０は、各広告商品を販売しているＥＣサイトを特定する（Ｓ１４）。ここで、前述したように各ＥＣサーバ３０の商品情報ＤＢ３１が公開されている。よって、広告サーバ４０は、各広告商品の広告情報中の商品コード・名称等を検索条件として、各ＥＣサーバ３０の商品情報ＤＢ３１を対象にマッシュアップ検索を行うことで、各広告商品を販売しているＥＣサイトを特定する。なお、マッシュアップ検索は、各ＥＣサーバ３０により管理され、広告事業者４等に対して公開されている商品情報ＤＢ３１を対象に行われる。これにより、一度の検索処理で、異なるＥＣサーバ３０が管理している商品情報を検索することができる。
【００４１】
商品情報は、ＥＣサイトに掲載されている商品の商品コード・名称・カテゴリ・画像、製造・販売元、販売価格等を含む情報である。商品情報は、商品情報毎に属性情報（データコード、ＥＣサイトコード、作成日時等）を付与されて、各ＥＣサーバ３０の商品情報ＤＢ３１により管理されている。
【００４２】
各広告商品を販売しているＥＣサイトを特定すると、広告サーバ４０は、各広告商品を販売しているＥＣサイトを提供するＥＣサーバ３０の商品情報ＤＢ３１から、各広告商品の商品情報を取得する（Ｓ１６）。各広告商品の商品情報には、商品コード・名称・カテゴリ・画像、製造・販売元、販売価格等の各データを特定するためのタグが予め付与されていてもよく、広告サーバ４０によりタグが付与されてもよい。広告サーバ４０は、取得された各広告商品の商品情報を、取得元のＥＣサイト毎に汎用ＤＢ４４に格納する。
【００４３】
図５には、各ＥＣサイトから取得された商品情報の一例が示されている。図５には、図４に示した広告記事Ｍ１に掲載予定の広告商品の商品情報をマッシュアップ検索した結果Ｍ２が示されている。検索結果Ｍ２によれば、「○○ＥＣサイト」は、広告商品Ａ「ニットワンピース」、広告商品Ｂ「ベロアワンピース」、広告商品Ｃ「ジャンパスカートワンピース」、広告商品Ｄ「ラインワンピース」を販売している。また、「××ＥＣサイト」は、広告商品Ａ「ニットワンピース」、広告商品Ｃ「ジャンパスカートワンピース」、広告商品Ｅ「ツイードワンピース」、広告商品Ｆ「千鳥格子ワンピース」を販売している。そして、ＥＣサイトに応じて、販売している商品が異なり、同一の商品についても異なる販売価格が設定されている。
【００４４】
広告商品の商品情報を取得すると、広告サーバ４０は、広告記事データから作成された各広告商品の広告情報と、各ＥＣサーバ３０から取得された各広告商品の商品情報を関連付けて、当該広告商品のユニット情報をＥＣサイト毎に作成する（Ｓ１８）。
【００４５】
（ユニット情報の構成）
ユニット情報は、各広告商品の商品情報および広告情報を関連付けて構成される。図６には、広告商品のユニット情報の構成の一例が示されている（なお、図６には、ユニット情報に含まれる一部のデータのみが示されている。）。図６に示す例では、広告商品Ａ「ニットワンピース」、広告商品Ｂ「ベロアワンピース」、広告商品Ｃ「ジャンパスカートワンピース」、広告商品Ｄ「ラインワンピース」の４つのユニット情報Ｕａ、Ｕｂ、Ｕｃ、Ｕｄが示されている。
【００４６】
図６に示す例では、例えば、広告商品Ａのユニット情報Ｕａは、広告商品Ａの商品情報Ｕａ１、広告商品Ａの広告情報Ｕａ２、および関連付け情報Ｕａ３からなる。なお、以下では、ユニット情報Ｕａについて説明するが、他のユニット情報も同様に構成されている。
【００４７】
ここで、商品情報Ｕａ１には、広告商品Ａの商品コード・名称・画像、製造・販売元、販売価格等が含まれ、広告情報Ｕａ２には、広告商品Ａの商品コード・名称・画像、製造・販売元、希望小売価格等が含まれている。また、広告情報Ｕａ２中の付加情報Ｕａ４には、広告モデルの名称・カテゴリ・画像、モデルによる商品の紹介記事、広告記事を掲載予定の出版物の名称・発行号数、広告記事を掲載予定の特集タイトル、関連商品の情報等が含まれている。ここで、関連商品の情報は、広告記事データに含まれている情報でもよく、ユニット情報Ｕａの作成時に、広告商品同士の関連性に応じて広告サーバ４０により作成されて追加される情報でもよい。関連付け情報Ｕａ３には、広告商品Ａの商品情報Ｕａ１と広告情報Ｕａ２をユニット情報Ｕａとして関連付けるための情報が含まれている。
【００４８】
なお、図６には、「○○ＥＣサイト」に掲載されるユニット情報の構成の一例が示されているが、他のＥＣサイトに掲載されるユニット情報は、他のＥＣサイトが販売している広告商品、販売価格に応じて作成される。
【００４９】
ユニット情報を作成すると、広告サーバ４０は、ＥＣサイト毎に作成されたユニット情報を対応する各ＥＣサーバ３０に提供する（Ｓ２０）。ここで、広告サーバ４０は、広告商品の広告記事データが掲載される出版物の販売が開始される前に、ユニット情報をＥＣサーバ３０に提供することが好ましい。これにより、ＥＣサーバ３０は、広告記事データが有する速報性という情報価値を確保することができる。ＥＣサーバ３０は、広告商品のユニット情報をＥＣサイトに掲載し、ユニット情報を用いて商品購入をユーザに促す（Ｓ２２）。
【００５０】
（ユニット情報の掲載方法）
以下では、図７〜図１０を参照しながら、広告商品のユニット情報の掲載方法について説明する。図７〜図９には、出版物に掲載予定の特集記事に応じて、広告事業者４により編集されたユニット情報を掲載する場合が示され、図１０には、販売特集に応じてＥＣ事業者３により再編集されたユニット情報を掲載する場合が示されている。なお、以下では、「○○ＥＣサイト」用に編集されたユニット情報を掲載する場合を例として説明する。
【００５１】
図７は、広告商品のユニット情報を表示するためのメニュー画面の一例である。メニュー画面Ｍ３には、出版物の表紙画像Ｍ３１、雑誌に掲載予定の特集記事のリストＭ３２、リストＭ３２上で選択されている特集記事のタイトル画像Ｍ３３が示されている。メニュー画面Ｍ３には、ファッション雑誌「ファッションガールズ１０月号」の表示画像Ｍ３１、「○○チャンおすすめ！今秋のワンピース特集」、「Ｘ’ｍａｓギフトコーディネイト特集」等の特集記事のリストＭ３２が示されている。また、メニュー画面Ｍ３には、リストＭ３２上で選択されている特集記事のタイトル画像Ｍ３３が示されている。
【００５２】
ユーザが特集記事の選択を決定すると、ＥＣサーバ３０は、例えば、図８、図９に示すような、各特集記事用のユニット情報を含む商品リストＭ４、Ｍ５をＥＣサイト上に表示する。なお、ＥＣサーバ３０は、特集記事用のユニット情報を広告サーバ４０から予め取得していてもよく、特集記事の選択の決定に応じて、選択された特集記事用のユニット情報を広告サーバ４０から取得してもよい。また、ＥＣサーバ３０は、特集記事用のユニット情報とともに、ユニット情報に含まれる商品情報および広告情報を表示するためのレイアウト情報を広告サーバ４０から取得している。これにより、ユーザは、各特集記事用のユニット情報を参照して、所望の商品を選択して購入手続きを行うことができる。
【００５３】
なお、メニュー画面Ｍ３は、ＥＣサーバ３０が提供する「○○ＥＣサイト」に掲載されてもよく、他のサーバが提供する出版サイト、ブログサイト、または広告事業者４が運用する広告サイト等に掲載されてもよい。メニュー画面Ｍ３が「○○サイト」以外に掲載される場合、ユーザが特集記事の選択を決定すると、商品リストの表示がＥＣサーバ３０に要請され、ＥＣサーバ３０は、各特集記事用のユニット情報を含む商品リストをＥＣサイト上に表示する。
【００５４】
図８は、特集記事「○○ちゃんおすすめ！今秋のワンピース特集」用のユニット情報を含む商品リストの一例である。商品リストＭ４には、広告商品Ａ〜Ｄの４つのユニット情報Ｕａ〜Ｕｄが示されている。商品リストＭ４には、各広告商品のユニット情報のうち、商品情報に含まれる商品名称、販売価格の情報が示され、付加情報として、広告モデルの画像、商品の紹介記事、コーディネイトの対象となる関連商品の情報（名称、販売価格）等が示されている。
【００５５】
商品リストＭ４を表示する場合、ＥＣサーバ３０は、特集記事用のユニット情報に含まれる商品情報および広告情報を、所定のレイアウトで商品リストＭ４として表示する。これにより、ユーザは、商品リストＭ４上に表示される広告商品を選択して購入手続きの実行を要求することで、所望の広告商品を対象として購入手続きを行うことができる。
【００５６】
図９は、特集記事「Ｘ’ｍａｓギフトコーディネイト特集」用のユニット情報を含む商品リストの一例である。商品リストＭ５には、広告記事中で各モデルにより紹介される、広告商品「シャツ」、「カードケース」、「バッグ」、「コート」の２つの組合せ例Ｍ５１、Ｍ５２が示されている。商品リストＭ５には、各広告商品のユニット情報のうち、付加情報中の紹介記事、および商品情報に含まれる商品コード・名称・画像、販売価格の情報が示されている。
【００５７】
商品リストＭ５を表示する場合も、ＥＣサーバ３０は、特集記事用のユニット情報に含まれる商品情報および広告情報を、所定のレイアウトで商品リストＭ５として表示する。これにより、ユーザは、商品リストＭ５上に表示されるコーディネイトを選択して購入手続きの実行を要求することで、所望のコーディネイトに含まれる広告商品を対象として購入手続きを一括して行うことができる。
【００５８】
図１０は、「○○ＥＣサイト」の販売特集「○○サイトおすすめ！ファッションガールズ１０月号に掲載予定の○○ブランドワンピース特集」用のユニット情報を含む商品リストの一例である。商品リストＭ６には、「○○ブランド」の商品である広告商品Ａ「ニットワンピース」、広告商品Ｂ「ベロアワンピース」、広告商品Ｃ「ジャンパスカートワンピース」、広告商品Ｆ「千鳥格子ワンピース」の４つのユニット情報が示されている。なお、広告商品Ｄ「ラインワンピース」および広告商品Ｅ「ツイードワンピース」は、「××ブランド」および「△△ブランド」の商品であるので、商品リストＭ６には含まれていない。商品リストＭ６には、各広告商品のユニット情報のうち、商品情報に含まれる商品名称、販売価格の情報が示され、付加情報として、広告モデルの画像、商品の紹介記事、関連商品の情報等が示されている。
【００５９】
商品リストＭ６を表示する場合、ＥＣサーバ３０は、広告サーバ４０から取得されたユニット情報を用いて、独自のレイアウトで商品リストＭ６として表示する。ＥＣサーバ３０は、ユニット情報中の商品情報に含まれる製造・販売元の情報、および付加情報に含まれる出版物の名称・発行号数、特集タイトルの情報に基づいて、該当する広告商品のユニット情報を選別する。そして、ＥＣサーバ３０は、選別されたユニット情報に含まれる商品情報および広告情報を表示する。これにより、ＥＣ事業者３は、自らの販売特集に応じて再編集されたユニット情報をＥＣサイトに掲載し、広告商品を販売することができる。一方、ユーザは、商品リストＭ６上に表示される広告商品を選択して購入手続きの実行を要求することで、所望の広告商品を対象として購入手続きを行うことができる。
【００６０】
ＥＣ事業者３は、広告商品のユニット情報をＥＣサイトに掲載することで、広告記事データから作成された広告情報等の情報価値を用いた広告商品の販売が可能となる。これにより、ＥＣ事業者３は、紹介情報を用いた従来の販売方法に比して、ユーザの購買意欲を向上させ、広告商品の販売を促進することができる。特に、ＥＣ事業者３は、従来の販売方法よりも早く広告商品のユニット情報をＥＣサイトに掲載することで、ユニット情報に含まれる広告情報等の速報性という情報価値を用いた販売が可能となる。これにより、ＥＣ事業者３は、広告商品に関する最新の情報を用いて、ユーザの購買意欲を刺激し、広告商品の販売を促進することができる。
【００６１】
また、広告情報の速報性に伴い広告商品が有するプレミア価値が向上する場合には、ＥＣ事業者３は、オークション形式の販売方法を用いて、ユーザの購買意欲をさらに刺激することで、従来の販売方法に比して、高い販売収益を期待することもできる。さらに、副次的な効果ではあるが、出版物の販売開始前に出版物に掲載予定の広告商品を知ることで、広告商品の調達、搬送、販売等の商行為を競合他社に比して有利に行うこともできる。
【００６２】
ユーザがユニット情報を利用して広告商品の購入手続きを行うと（Ｓ２４）、広告サーバ４０は、広告商品の販売ログをＥＣサーバ３０から取得する（Ｓ２６）。なお、販売ログは、広告サーバ４０からの要求に応じてＥＣサーバ３０から広告サーバ４０へ提供されてもよく、ＥＣサーバ３０から広告サーバ４０へ自動的に提供されるようにしてもよい。ここで、販売ログは、販売商品の商品コード・名称、販売日時、販売価格、購入者、販売サイト等の情報とともに、購入者によるサイト閲覧履歴の情報を含んでいる。広告事業者４は、販売ログに含まれるサイト閲覧履歴に基づいて、ユニット情報を利用して広告商品が販売されたか否かを判断することができる。
【００６３】
広告商品が販売されると、ＥＣ事業者３は、ユーザから販売代金を徴収し（Ｓ２８）、販売代金に含まれる所定の販売マージンを広告事業者４に提供する（Ｓ３０）。広告事業者４は、販売マージンに含まれる所定の中間マージンを取得し、販売マージンの残りを出版事業者２に提供（還元）する（Ｓ３２）。これにより、出版事業者２は、ユニット情報を利用して販売された広告商品の販売マージンの一部を広告外収益として確保することができる（Ｓ３４）。なお、出版事業者２は、広告事業者４を経ずに、ＥＣ事業者３から独自に販売マージンを取得してもよく、広告事業者４は、中間マージンを取得しなくてもよい。
【００６４】
出版事業者２は、広告記事データを広告事業者４に提供し、広告記事データから作成された広告情報を含むユニット情報を用いてＥＣ事業者３に広告商品を販売させることができる。これにより、出版事業者２は、ユニット情報を利用して広告商品が販売されたＥＣシステムから、広告商品の販売ログに応じて販売マージンを取得することで、広告外収益を確保することができる。
【００６５】
（ユニット情報の掲載方法の変形例）
以下では、図１１〜図１３を参照しながら、ユニット情報の掲載方法の変形例について説明する。図８〜図１０に示した掲載方法では、複数の広告商品のユニット情報がレイアウト上で組合された商品リストＭ４〜Ｍ６としてＥＣサイト上等に表示される。しかし、広告商品のユニット情報は、互いに関連付けられた情報として表示されてもよい。
【００６６】
ユニット情報同士の関連付けは、商品情報または広告情報に含まれる各データに応じて行われる。例えば、複数のユニット情報は、例えば、商品のカテゴリ、製造・販売元、広告モデルの名称、紹介記事、出版物の名称・発行号数、特集タイトル等に応じて関連付けられる。具体的には、例えば、商品のカテゴリ、製造・販売元、広告モデルの名称、紹介記事中のキーワード、出版物の名称・発行号数、特集タイトル中のキーワードの共通性および／または関連性に応じて、複数のユニット情報が関連付けられる。
【００６７】
図１１には、図６に示したユニット情報の構成の変形例が示されている。ユニット情報Ｕａ〜Ｕｄの付加情報には、広告モデルの名称として「○○ちゃん」が含まれ、広告記事を掲載予定の特集タイトルとして「○○ちゃんおすすめ！今秋のワンピース特集」が含まれている。このため、広告モデルの名称、特集タイトルの共通性に応じて、ユニット情報Ｕａ〜Ｕｄが互いに関連付けられる。
【００６８】
図１２および図１３には、ユニット情報の掲載方法の変形例が示されている。図１２に示す掲載方法では、ＥＣサーバ３０が提供する「○○ＥＣサイト」上に設けられるユニット情報表示エリア７１中の商品表示部７２に広告商品のユニット情報に含まれるデータが表示される。なお、ユニット情報表示エリア７１は、出版サイト、ブログサイト、広告サイト上等に設けられてもよい。
【００６９】
商品表示部７２には、例えば、ユニット情報に含まれる商品情報および広告情報の所定のデータが所定の順序で、またはランダムにページ情報として表示される。また、商品表示部７２には、ユーザ操作用の選択メニュー７３が設けられている。選択メニュー７３には、例えば、「ページ送り」ボタン７４、「ページ戻し」ボタン７５、「購入手続き」ボタン７６等の操作ボタンが表示され、所定の条件が満たされる場合に、互いに関連付けられたユニット情報間で表示をジャンプするための「ジャンプ」ボタン７７が表示される。
【００７０】
図１３には、所定の順序でデータを表示する場合の表示順序の一例が示されている。図１３に示す例では、ユニット情報Ｕａ、Ｕｂ、Ｕｃ、Ｕｄの順序で各ユニット情報に含まれるデータが表示される。各ユニット情報の表示では、広告記事を掲載予定の出版物の名称・号数、広告モデルの名称・画像、特集タイトルおよびモデルによる紹介記事、広告商品の名称・画像、販売価格という順序で、各ユニット情報に含まれるデータが各ページに順次に表示される。ここで、各データは、プログラムにより自動的に切替えて表示されてもよく、「ページ送り」ボタン７４、「ページ戻し」ボタン７５等の操作ボタンの操作に応じて切替えて表示されてもよい。
【００７１】
前述したように、ユニット情報Ｕａ〜Ｕｄは、広告モデルの名称の共通性に応じて互いに関連付けられている。このため、ユニット情報Ｕａ〜Ｕｄに含まれる広告モデルの名称・画像が表示されると、選択メニュー７３に「ジャンプ」ボタン７７が表示される。そして、例えば、ユニット情報Ｕａが表示されている状態でユーザが「ジャンプ」ボタン７７を操作する毎に、商品表示部７２の表示がユニット情報Ｕｂ、Ｕｃ、Ｕｄに含まれる広告モデルの名称・画像に切り替わる。
【００７２】
「ジャンプ」ボタン７７が表示された状態で所定の時間が経過すると、商品表示部７２の表示は、商品表示部７２に表示されているユニット情報に含まれる特集タイトルおよびモデルによる紹介記事に切り替わる。そして、「ジャンプ」ボタン７７の表示前と同様に、各ユニット情報に含まれるデータが切替えて表示される。
【００７３】
なお、ユニット情報Ｕａ〜Ｕｄに含まれる特集タイトルおよびモデルによる紹介記事が表示される場合にも、「ジャンプ」ボタン７７が同様に表示される。そして、ユニット情報Ｕａが表示されている状態で「ジャンプ」ボタン７７を操作する毎に、商品表示部７２の表示がユニット情報Ｕｂ、Ｕｃ、Ｕｄに含まれる特集タイトルおよびモデルによる紹介記事に切り替わる。また、「ジャンプ」ボタン７７が表示された状態で所定の時間が経過すると、商品表示部７２の表示が広告商品の名称・画像に切り替わる。
【００７４】
なお、例えばユニット情報Ｕａが表示されている状態で「購入手続き」ボタン７６が操作されると、ＥＣサーバ３０とユーザとの間で購入手続きの処理が行われる。なお、ユニット情報表示エリア７１が「○○ＥＣサイト」以外のサイト上に設けられている場合は、所定のＥＣサーバ３０に購入手続きの処理が要請され、ＥＣサーバ３０とユーザとの間で購入手続きの処理が行われる。
【００７５】
前述した掲載方法の変形例によれば、広告商品の商品情報または広告情報に含まれる各データに応じて、複数の広告商品のユニット情報が関連付けられるので、ユーザは、複数のユニット情報に含まれる互いに関連性を有するデータを直感的な操作により閲覧することができる。そして、ユーザは、所望の広告商品、および所望の広告商品に関連する商品を容易に選択して購入することができる。一方、出版事業者２（およびＥＣ事業者３）は、商品情報および広告情報の閲覧性の向上によりユーザに購入手続きを促すとともに、互いに関連性を有する商品をユーザに閲覧させることで、ユーザの購買意欲を向上させ、広告商品の購入を促進することができる。よって、出版事業者２は、互いに関連付けられたユニット情報を用いた広告商品の販売により、広告外収益を効率的に確保することができる。
【００７６】
［３．第２の実施形態に係る広告提供システム１１０］
［３−１．広告提供システム１１０の構成］
次に、図１４を参照しながら、本発明の第２の実施形態に係る広告提供システム１１０の構成について説明する。図１４に示すように、本実施形態に係る広告提供システム１１０も、出版サーバ１２０、ＥＣサーバ１３０、および広告サーバ１４０を含んで構成される。
【００７７】
出版サーバ１２０は、出版物に掲載予定の広告記事データを管理する広告記事データベース（ＤＢ）１２１、および広告サーバ１４０との間でデータ通信する通信インタフェース（ＩＦ）１２２を有している。ＥＣサーバ１３０は、ＥＣサイトに掲載される商品の商品情報を管理する商品情報データベース（ＤＢ）１３１、ＥＣサイトを通じて電子商取引の手続きを行うＥＣ処理部１３２、および広告サーバ１４０との間でデータ通信する通信インタフェース（ＩＦ）１３３を有している。なお、本実施形態に係るＥＣサーバ１３０は、広告事業者４等に対して商品情報ＤＢ１３１を公開していない。
【００７８】
広告サーバ１４０は、広告記事データから広告情報を作成する広告情報作成部１４１、広告商品の商品情報を検索する検索エンジン１４２、広告情報および商品情報から広告商品のユニット情報を作成するユニット情報作成部１４３を有している。また、広告サーバ１４０は、広告情報、商品情報、ユニット情報等を格納する汎用データベース（ＤＢ）１４４、広告商品の販売ログを管理する販売ログ管理部１４５、および出版サーバ１２０およびＥＣサーバ１３０との間でデータ通信する通信インタフェース（ＩＦ）１４７を有している。また、本実施形態に係る広告サーバ１４０は、ＥＣ事業者３等に対してユニット情報を公開するための公開データベース（ＤＢ）１４６を有しており、各ＥＣ事業者３は、公開ＤＢ１４６にアクセスして、ユニット情報を取得することができる。
【００７９】
［３−２．広告提供方法］
次に、図１５を参照しながら、本発明の第２の実施形態に係る広告提供方法の流れについて説明する。
【００８０】
出版事業者２は、出版物に掲載予定の広告商品の広告記事をＤＴＰデータ等として作成し、出版サーバ１２０は、広告記事データを広告記事ＤＢ１２１により管理している。出版サーバ１２０は、広告記事データを広告サーバ１４０に提供する（ステップＳ１１０）。
【００８１】
広告サーバ１４０は、広告記事データを出版サーバ１２０から取得すると、広告記事データから各広告商品の情報を抽出し、各広告商品の広告情報を作成し（Ｓ１１２）、各広告商品の広告情報を汎用ＤＢ１４４に格納する。各広告商品の広告情報を作成すると、広告サーバ１４０は、各広告商品を販売しているＥＣサイトを特定する（Ｓ１１４）。ここで、前述したように各ＥＣサーバ１３０の商品情報ＤＢ１３１が公開されていないので、広告サーバ１４０は、各広告商品の広告情報中の商品コード・名称等を検索条件として逐次検索を行うことで、各広告商品を販売しているＥＣサイトを特定する。
【００８２】
各広告商品を販売しているＥＣサイトを特定すると、広告サーバ１４０は、各広告商品を販売しているＥＣサイトから、各広告商品の商品情報を取得する（Ｓ１１６）。ここで、商品情報は、各ＥＣサイトに掲載されている商品の商品コード・名称・カテゴリ・画像、画像、製造・販売元、販売価格等を含む情報として各ＥＣサイト上から取得される。そして、商品情報は、商品情報毎に属性情報（データコード、ＥＣサイトコード、作成日時等）を付与されて、広告サーバ１４０の汎用ＤＢ１４４に格納される。
【００８３】
広告商品の商品情報を取得すると、広告サーバ１４０は、広告記事データから作成された各広告商品の広告情報と、各ＥＣサーバ１３０から取得された各広告商品の商品情報を関連付けて、当該広告商品のユニット情報を作成する（Ｓ１１８）。
【００８４】
ユニット情報を作成すると、広告サーバ１４０は、作成されたユニット情報を公開ＤＢ１４６上に公開し（Ｓ１２０）、各ＥＣサーバ１３０は、公開ＤＢ１４６にアクセスし、広告商品のユニット情報を取得する（Ｓ１２２）。これにより、広告サーバ１４０は、公開ＤＢ１４６を通じて広告商品のユニット情報を各ＥＣサーバ１３０に取得させることで、各ＥＣサーバ１３０にユニット情報を提供することができる。そして、広告商品のユニット情報を取得すると、各ＥＣサーバ１３０は、広告商品のユニット情報を各ＥＣサイトに掲載し、ユニット情報を用いて商品購入をユーザに促す（Ｓ１２４）。
【００８５】
ユーザがユニット情報を利用して広告商品の購入手続きを行うと（Ｓ１２６）、広告サーバ１４０は、広告商品の販売ログを各ＥＣサーバ１３０から取得する（Ｓ１２８）。ここで、販売ログは、販売商品の商品コード・販売日時・販売価格、販売サイト、購入者等の情報とともに、購入者によるサイト閲覧履歴の情報を含んでいる。広告商品が販売されると、ＥＣ事業者３は、ユーザから販売代金を徴収し（Ｓ１３０）、販売代金に含まれる所定の販売マージンを広告事業者４に提供する（Ｓ１３２）。広告事業者４は、販売マージンに含まれる所定の中間マージンを取得し、販売マージンの残りを出版事業者２に提供（還元）する（Ｓ１３４）。これにより、出版事業者２は、ユニット情報を利用して販売された広告商品の販売マージンの一部を広告外収益として確保することができる（Ｓ１３６）。
【００８６】
［４．まとめ］
以上説明したように、本発明の実施形態に係る広告提供システム１０、１１０によれば、出版物に掲載予定の広告商品の広告記事データから広告情報が作成され、広告商品を販売しているＥＣサーバ３０、１３０から商品情報が取得される。そして、広告商品の広告情報および商品情報を関連付けて、広告商品のユニット情報が作成される。さらに、広告商品を販売しているＥＣサーバ３０、１３０に広告商品のユニット情報が提供され、ユニット情報を利用してＥＣサーバ３０、１３０を通じて販売された広告商品の販売ログが取得される。
【００８７】
これにより、出版事業者２は、ユニット情報を利用して広告商品が販売されたＥＣ事業者３から、広告商品の販売ログに応じて販売マージンを取得することで、広告外収益を確保することができる。また、出版事業者２は、出版物に掲載予定の広告商品の広告記事データを含むユニット情報を用いてＥＣ事業者３に広告商品を販売させることができる。よって、出版事業者２は、広告記事データの作成後から出版物の販売開始までに、広告記事データが有する速報性という情報価値を用いて、広告外収益を確保するための機会を利用することができる。
【００８８】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【００８９】
上記実施形態の説明では、ファッション雑誌に掲載予定の広告記事のデータを用いる場合について説明したが、本発明は、他の出版物に掲載予定の広告記事のデータを用いる場合にも同様に適用することができる。
【図面の簡単な説明】
【００９０】
【図１】本発明の実施形態に係る広告提供システムの概要を示す図である。
【図２】第１の実施形態に係る広告提供システムの構成を示すブロック図である。
【図３】第１の実施形態に係る広告提供方法の流れを示す模式図である。
【図４】出版物に掲載予定の広告記事データの一例を示す図である。
【図５】ＥＣサイトから取得された商品情報の一例を示す図である。
【図６】広告商品のユニット情報の構成の一例を示す図である。
【図７】ユニット情報を掲載するＥＣサイトに表示されるメニュー画面の一例を示す図である。
【図８】特集記事用のユニット情報を含む商品リストの一例を示す図である。
【図９】特集記事用のユニット情報を含む商品リストの他の例を示す図である。
【図１０】ＥＣサイトの販売特集用のユニット情報を含む商品リストの一例を示す図である。
【図１１】広告商品のユニット情報の構成の変形例を示す図である。
【図１２】ユニット情報表示エリアに表示されるユニット情報の一例を示す図である。
【図１３】ユニット情報により所定の順序でデータを表示する場合の表示順序の一例を示す図である。
【図１４】第２の実施形態に係る広告提供システムの構成を示すブロック図である。
【図１５】第２の実施形態に係る広告提供方法の流れを示す模式図である。
【符号の説明】
【００９１】
１０、１１０    広告提供システム
２０、１２０    出版サーバ
２１、１２１    広告記事データベース
３０、１３０    ＥＣサーバ
３１、１３１    商品情報データベース
３２、１３２    ＥＣ処理部
４０、１４０    広告サーバ
４１、１４１    広告情報作成部
４２、１４２    検索エンジン
４３、１４３    ユニット情報作成部
４４、１４４    汎用データベース
４５、１４５    販売ログ管理部
１４６    公開データベース
２２、３３、４６、１２２、１３３、１４７    通信インタフェース
【図１】
2010117766.tif 000003
【図２】
2010117766.tif 000004
【図３】
2010117766.tif 000005
【図４】
2010117766.tif 000006
【図５】
2010117766.tif 000007
【図６】
2010117766.tif 000008
【図７】
2010117766.tif 000009
【図８】
2010117766.tif 000010
【図９】
2010117766.tif 000011
【図１０】
2010117766.tif 000012
【図１１】
2010117766.tif 000013
【図１２】
2010117766.tif 000014
【図１３】
2010117766.tif 000015
【図１４】
2010117766.tif 000016
【図１５】
2010117766.tif 000017